(57)【要約】 【課題】  固定縦枠の窪み部に対して受け金具を一度固定的にセットした場合、ドア側のラッチの位置に対応してフイット状態に係合可能な受け金具を、極力構成部品を少なくして実現することである。また、ドアラッチのかかりを大きくし得ること。【解決手段】  戸枠の固定縦枠の窪み部に対して取り付けられるドアラッチ用受け金具に於いて、前記受け金具の内部に、閉戸時、ドアラッチの先端部分が該受け金具の横向き凹所に入り込む寸前、ドアラッチに押圧され得るラッチ当たり部を介して該ドアラッチの先端部を前記横向き凹所の奥へと受け入れることを許容する可動のドア用ガタ防止部片を配設し、該ガタ防止部片の前記ラッチ当たり部を初期位置へ戻すための付勢バネを横向き凹所に組み込んだことを特徴とするドアラッチ用受け金具。【選択図】  図１０
2006225854.tif 000002
【特許請求の範囲】
【請求項１】
戸枠の固定縦枠の窪み部に対して取り付けられるドアラッチ用受け金具に於いて、前記受け金具の内部に、閉戸時、ドアラッチの先端部分が該受け金具の横向き凹所に入り込む寸前、ドアラッチに押圧され得るラッチ当たり部を介して該ドアラッチの先端部を前記横向き凹所の奥へと受け入れることを許容する可動のドア用ガタ防止部片を配設し、該ガタ防止部片の前記ラッチ当たり部を初期位置へ戻すための付勢バネを横向き凹所に組み込んだことを特徴とするドアラッチ用受け金具。
【請求項２】
請求項１に於いて、バー状ラッチ当たり部にドアラッチの先端部が押し当たらない場合には、ドア用ガタ防止部材は可動せず、前記ラッチ当たり部にドアラッチの垂直係合面が受け止められることを特徴とするドアラッチ用受け金具。
【請求項３】
請求項１又は請求項２に於いて、ドア用ガタ防止部片３１は、上下の軸を介して回転自在に内設していることを特徴とするドアラッチ用受け金具。
【請求項４】
請求項３に於いて、ドア用ガタ防止部片３１は、枠片３２と、この枠片３２の垂直連結板３２ａに連設する一組の水平支持腕部分３２ｂと、この水平支持腕部分の自由端部に位置し、かつ、垂直方向に細長く形成されたラッチ当たり部３３とから構成されていることを特徴とするドアラッチ用受け金具。
【請求項５】
請求項１に於いて、ドア用ガタ防止部片は、トロヨケ３内に調整ボックス５を備えた複合型の受け金具に内設されていることを特徴とするドアラッチ用受け金具。
【請求項６】
請求項１に於いて、ドア用ガタ防止部片３１Ａは、ストライク４Ａとトロヨケ３Ａで構成されている単純型の受け金具Ｘ１に内設されていることを特徴とするドアラッチ用受け金具。
【発明の詳細な説明】
【技術分野】
【０００１】
本発明は、ドアラッチ用受け金具に関する。
【背景技術】
【０００２】
特許文献１及び２には、「戸枠の固定縦枠の窪み部に対して取り付けられるドアラッチ用受け金具に於いて、受け金具は、固定縦枠に固着具を介して固定され、かつ、方形窓孔を有するストライクと、このストライクにカバーされた状態で前記窪み部に内装されるケース状トロヨケと、このトロヨケに内装される調整可能なラッチ受けケースから成り、前記ラッチ受けケースは、トロヨケの底壁内面とラッチ受けケースの底壁外面との間に設けられた円盤状駆動カム（特許文献１に記載の駆動カムは円形であるのに対して、特許文献２のそれは多角形である点が相違する。）の駆動力により、前記ラッチ受けケースを、ドアの開閉方向へ調整可能なドアラッチ用受け金具」が記載されている。
【０００３】
上記の各先行技術は、ドアラッチの垂直係合面が当たるラッチ受けケースのラッチ当たり部が普通一般の受け金具と同様に「垂直面」である。したがって、受け金具を縦枠の窪み部に固定的にセットした場合に於いて、ドア側のドアラッチの垂直係合面と縦枠側のラッチ受けケースのラッチ当たり部（垂直面）との間に若干の隙間が発生した時には、図示しないドライバーで円盤状駆動カムを所要量回転させ、ラッチ受けケースのラッチ当たり部がドアラッチの垂直係合面に面接触状態になるように調整する必要がある。その理由は、調整しないと、風圧によりドアのガタツキ問題が生じるからである。この点、特許文献１及び２に記載の発明は、ラッチ当たり部（垂直面）とドアラッチの垂直係合面との隙間を調整する「調整型受け金具」と称することができる。
【０００４】
このように、特許文献１及び２に記載の発明は、隙間が生じた場合には、必ず工具を用いて調整しなければならないという問題点がある。
【０００５】
そこで、受け金具が単純型（ストライクのみ、又はストライクとトロヨケのみ）であれ、複合型（ストライク、トロヨケ、調整ケース等の組み合わせタイプ）であれ、原則として受け金具を一度固定縦枠の窪み部に固定的にセットした場合、無調整でガタをなくする受け金具の出現が要望されている。この場合「無調整型受け金具」の一例として、ドアラッチの垂直係合面が当接する受け金具側のラッチ当たり部を、ドアの開方向に向かって段差状に形成する構成が考えられる。
【０００６】
しかしながら、ストライクと称される受けカバーの方形状開口縁を受け金具の横向き凹所内に向かって段差状に形成し、或いはトロヨケや調整ボックスと称される側壁等にラッチ当たり部を段差状に形成しても、ストライクの方形状開口縁に近い側の段差部分にドアラッチの垂直係合面が当たった場合には、当たり面積小さくならざるを得ないという問題点が依然と残っている。
【０００７】
そこで、発明の主たる目的（閉戸時のドアのガタ防止）を前提にした上で、可能な限り、また単純型または複合型如何を問わず、無調整型受け金具であって、ドアラッチの垂直係合面の当たり面積が大きくなり得る受け金具の出現が要望されている。
【特許文献１】実公平６−４９７８０号公報
【特許文献２】実開平７−１５８３２５号公報
【発明の開示】
【発明が解決しようとする課題】
【０００８】
本発明の目的は、固定縦枠の窪み部に対して受け金具を一度固定的にセットした場合、ドア側のラッチの位置に対応してフイット状態に係合可能な受け金具を、極力構成部品を少なくして実現することである。これにより、ドアラッチの垂直係合面が受け金具のラッチ受け部に「ぴったり」と係合し、ドアの開き方向のガタがなくなる。また、ドアラッチのかかりを大きくし、側圧強度を上げることである。さらに、受け金具がトロヨケ内にドアの開閉方向へ調整可能なラッチ受けケースを備えている場合であっても、受け金具を一度窪み部に取付け後に駆動カムを工具で調整しなくても良い場合が多く成る（無調整で済む場合が多い）受け金具を提案することである。また、本発明の目的は、ドアのガタ防止を前提にした上で、単純型又は複合型であれ、可能な限り無調整型受け金具であって、ドアラッチの垂直係合面の当たり面積が大きくなり得る受け金具を提案することである。
【課題を解決するための手段】
【０００９】
本発明のドアラッチ用受け金具は、枠の固定縦枠の窪み部に対して取り付けられるドアラッチ用受け金具に於いて、前記受け金具の内部に、閉戸時、ドアラッチの先端部分が該受け金具の横向き凹所に入り込む寸前、ドアラッチに押圧され得るラッチ当たり部を介して該ドアラッチの先端部を前記横向き凹所の奥へと受け入れることを許容する可動のドア用ガタ防止部片を配設し、該ガタ防止部片の前記ラッチ当たり部を初期位置へ戻すための付勢バネを横向き凹所に組み込んだことを特徴とする。その他の特徴は、従属項によって限定的に特定し得る。
【発明の効果】
【００１０】
（１）受け金具を縦枠の窪み部に対して固定的にセットした場合、閉戸時、ドア側のラッチは、その突出量が大きい場合には、ドアラッチの先端部分が受け金具の横向き凹所に入り込む寸前、受け金具側のラッチ当たり部にドアラッチの先端部が押し当たるから、ドア用ガタ防止片が可動する。したがって、受け金具に対するドアラッチの垂直係合面の当たり面積が大きくなるので、ドアラッチの側圧強度が向上する。
（２）一方、ドアラッチの突出量が小さい場合に於いて、受け金具側のラッチ受け部とドアラッチの先端部分の位置がフイット状態に適合可能な位置にある時は、ドア用ガタ防止部材が可動せず、ドアラッチの垂直係合面の当たり面積が小さいものの、ドアラッチの先端部分は、ガタ防止部材のラッチ当たり部に受け止められる。それ故に、無調整でガタをなくすることが可能となる。特に、受け金具がトロヨケ内にドアの開閉方向へ調整可能なラッチ受けケースを備えている場合であっても、駆動カムを工具で調整しなくても良い場合が多く成る（無調整で済む場合が多い）。
（３）請求項４に記載の発明は、バー状ラッチ当たり部は、垂直方向に細長く形成されているので、細い分だけ受け金具の凹所の奥へ後退可能となるから、受け金具の凹所に対するドアラッチの進入率が大きくなり、その結果、ドアラッチの垂直係合面の当たり面積がより一層大きくなる。それ故に、ドアラッチの側圧強度が向上する。
【発明を実施するための最良の形態】
【００１１】
まず、図１乃至図１１に示す本発明を実施するための最良の形態（これを「第１実施例」とする）により説明する。この第１実施例の受け金具Ｘは、構成要件が加味された複合型であるが、本発明の技術的思想は、この複合型（ストライク、トロヨケ、調整ケース等の組み合わせタイプ）に限定するものではない。要は、受け金具Ｘが、ラッチ当たり部を有する可動型（回転、スライドなど）のドア用ガタ防止片を備えていれば良い。
【００１２】
したがって、極力、各部材の細部的事項の符号は割愛する。例えば受け金具用固着具に関しては、図示及びその説明を割愛している。また、各部材の端面切欠部、開口、窓部、耳部、取り付け部等は、各部材をそれぞれ合理的に組み合わせることから、当然、切欠部の形成位置、寸法、大きさ等を考慮して適宜に設計されるので、事細かな説明も割愛する。
【００１３】
（１）第１実施例の環境
図１は、戸枠の固定縦枠１の窪み部２（図２）に対して取り付けられるドアラッチ用受け金具Ｘの外観構成図を示す。この図１が、固定縦枠１に対面した場合に見える正面視に相当する。
【００１４】
したがって、図１はトロヨケに受けカバーが図示しない固着具で固定されている状態、一方、図２は窪み部２に固定されたトロヨケから受けカバーを外して並べて見せた状態を示す。
【００１５】
まず、図１及び図２を参照して、トロヨケ３と受けカバー４を説明する。トロヨケ３は、調整ボックス５（この実施例ではラッチ受けケース）を収納する機能を有している。
図２を基準にすると、トロヨケ３は、中心部に窪み部２に入り込む正面開口の縦長箱状のケース部３ａを有している。自明のように、このケース部３ａの上下の水平側壁の開口縁部には、垂直方向に折り曲げ形成された耳状の取付け部３ｂ，３ｂが設けられている。
【００１６】
ケース部３ａや取付け部３ｂ，３ｂは、商品化レベルでは、適宜に切欠、段差状部分、フランジ部分等を形成するが、発明の限定要件でない付随的事項の説明は、前述したように割愛している。
【００１７】
次に、ストライクと称される受けカバー４は、トロヨケ３を全て覆うことができる大きさの矩形状長板に形成されている（図１）。自明のように、受けカバー４は上下部の適宜部位に一対の固着具用取付け孔６，６を有する。これらの取付け孔６の間にラッチ用の開口部７が適宜に形成されている。開口部７は、受けカバー４の中央部に形成されている。
【００１８】
本実施例では、開口部７は、方形状の比較的大きな開口部分７ａと、この開口部分７ａを形成する左側の一辺縁を図示しない扉を開く側に向かって形成された方形状の比較的小さい開口部分７ｂとから成り、小さい開口部分７ｂは大きな開口部分７ａに連通している。この小さい開口部分７ｂを形成した理由は、受け金具Ｘが、例えば複合型であり、左側壁の中央部の部分に隆起部８を有する調整ボックス５が左右方向にも移動調整可能だからである。したがって、小さい開口部分７ｂは発明の目的との関係では限定要件ではない。
【００１９】
（２）調整ボックス５（ラッチ受けケース）
調整ボックス５は、例えば図２、図３で示すように、トロヨケ３のケース部３ａに余裕をもって嵌め込まれている。図６ないし図９は、調整ボックス５の具体的構成を示す正面及び適宜箇所の各概略断面図である。複合型の受け金具Ｘでは、調整ボックス５にトロヨケ３の機能、すなわち、ラッチ受けケースの機能を付与することから、トロヨケ３と同様にラッチが入り込む開口部を備えている。
【００２０】
５ａは正面（手前）側に開口部１０を有するケース部、５ｂはケース部５ａの左側壁の一辺縁を、扉を開く側に向かって折り曲げ形成された縦長状耳部、一方、５ｃはケース部の右側壁の一辺縁を、固定縦枠１の扉受け止め部１ａに向かって折り曲げ形成された反対側の縦長状耳部である。前記左側壁側の縦長状耳部５ｂの中央部には、前述したように隆起部８が形成されている。
【００２１】
図６を正面図と位置付け、調整ボックス５の主な構成を説明する。説明の便宜上、ケース部５ａの各壁に符号を付す。１１は横向き凹所状の開口部１０を基準にすると、奥に位置する垂直の底壁である（図７）。したがって、１２は左側壁、１３は右側壁、１４は上壁、１５は下壁である。
【００２２】
まず、底壁１１から説明する。垂直板状の底壁１１は、中心部に円形の嵌合孔１６を有している。また、上下部に一対の短い調整長孔１７，１７が横方向に形成されている。また、これらの短い調整長孔１７の近傍には、上下一組の逃がし用切欠部分１８，１８が形成されている。
【００２３】
本実施例の逃がし用切欠部分１８は、底壁１１の左隅部の上下にそれぞれ形成された矩形状の小孔である。これらの小孔状切欠部分１８，１８は、後述するバー状ラッチ当たり部がケース部５ａの奥（底壁１１側の意味）に後退動した場合に於いて、ドア用ガタ防止片を構成するアームの先端部を受け入れる（逃がす）役目を果たす。さらに、底壁１１の小孔状切欠部分１８，１８の間に上下一組の第２切欠部分１９，１９が形成されている。この第２切欠部分１９は、設計如何によっては省略することができる。
【００２４】
次に、左側壁１２について説明する。左側壁１２は底壁１１に直交する長板である。この長板状一側壁１２の上下端部寄りの部位には、開口端面から底壁１１の第２切欠部分１９，１９にそれぞれ至る上下一組の案内水平切欠部２０，２０が形成されている。これらの案内水平切欠部２０，２０の第２切欠部分１９，１９に連通する部分は、第２切欠部分１９と同一の大きさに設定されている。そして、上壁１４および下壁１５には、上下一組の小軸孔２１がそれぞれ形成されている（図７参照）。
【００２５】
ここで、本発明の特定要件ではないが、図２を参照にして、調整ボックス５の底壁１１とトロヨケ３のケース部３ａの底壁との間に設けられた多角形の駆動カム（図２の仮想線の部材）に関して多少付言する。
【００２６】
技術背景の欄で説明したように、第１実施例の受け金具Ｘは、例えば特許文献２の構成をベースとしている。したがって、番号を付さない駆動カムを図示しないドライバーで操作することにより、調整ボックス５をトロヨケ３の左右方向に調整可能である。それ故に、受け金具Ｘは嵌合突起を有する調整用駆動カム、調整長孔１７，１７に係合する上下一対のガイドピン、トロヨケ３のケース部３ａの側壁と調整ボックス５の右側壁との隙間に設けた板バネ等を備えている。
【００２７】
（３）主たる部材
本実施例の特徴部分は、トロヨケ３の凹所内に回転、スライド等の動くドア用ガタ防止部片３１を配設したことである。実施例の受け金具Ｘは、複合型なので、調整ボックス５（ラッチ受けケース）のケース部５ａにドア用ガタ防止部片３１を、例えば回転自在に内設している。
【００２８】
ドア用ガタ防止部片３１はケース部５ａ又はガタ防止部片３１自体に設けた上下一組の突起軸で軸支され、かつ、例えば小突起軸に巻装された単数又は複数の付勢バネにより、ケース部５ａの開口部１０側に常時付勢されている。ドア用ガタ防止部片３１のバー状ラッチ当たり部は、付勢バネ４０のバネ力に抗して可能な限りケース部５ａの奥（底壁１１）に後退可能である。
【００２９】
図４及び図５を参照にしてドア用ガタ防止部片３１及び付勢バネ４０を説明する。本実施例のガタ防止部片３１は、図４の正面視を基準にすると、外観形状がコ字形の枠片３２と、この枠片３２の垂直連結板３２ａの上下端部に直交方向に延伸する一組の水平支持腕部分３２ｂの自由端部に垂直状態で受け止められたバー状ラッチ当たり部３３とから構成されている。
【００３０】
本実施例では、バー状ラッチ当たり部３３は、ドアラッチ４１の垂直係合面４１ａの当たり面積が大きくなるように垂直方向に細長く形成されている。また、枠片３２は合成樹脂製で、一方、ラッチ当たり部３３は金属製である。したがって、枠片３２とラッチ当たり部３３は別体である。しかしながら、別体であることは発明の限定要件ではなく、枠片３２とラッチ当たり部３３を、予め合成樹脂材又は金属で一体成形しても良い。また、ラッチ当たり部３３の幅は任意に設定し得る。
【００３１】
さて、図５で示すように、水平支持腕部分３２ｂの垂直連結板３２ａに連設する幅広の基部には、ケース部５ａの上壁１４及び下壁１５の各小軸孔２１にそれぞれ嵌入する小突起軸３４が設けられている。また、水平支持腕部分３２ｂの自由端部は、段差状の受け面３５が形成されている。この上下の段差状の受け面３５にラッチ当たり部３３の上下端部の内面が支持される。また、ラッチ当たり部３３の上下端部寄りの部位には、外観上横Ｔ字形状の係合突起３６が上下一組設けられ、これらの係合突起３６は、ケース部５ａの左側壁１２の案内水平切欠部２０にそれぞれ係合している。そして、前述した付勢バネ４０は、ガタ防止部片３１の上下の小突起軸３４に巻装され、その一端部はケース部５ａの内壁面に適宜に圧接している。
【００３２】
（４）主たる部材の作用
図１０及び図１１を参照にしてドア用ガタ防止部片３１の動きを説明する。図１０は、閉戸時、ドアラッチ４１の先端部分が受け金具Ｘの横向き凹所（ケース部５ａ）に入り込む寸前、ドア用ガタ防止部片３１のラッチ当たり部３３にドアラッチ４１の先端部が押し当った場合の概略説明図である。この場合、ドアラッチ４１の先端部がラッチ当たり部３３に押し当たるので、ガタ防止部片３１は付勢バネ４０のバネ力に抗し時計方向へ回転する。
【００３３】
したがって、ガタ防止部片３１は、ドアラッチ４１に押圧されるラッチ当たり部３３を介して該ドアラッチ４１の先端部を横向き凹所（本実施例では、ケース部５ａ）の奥へと受け入れることを許容する。それ故に、受け金具Ｘに対するドアラッチ４１の垂直係合面４１ａの接触する（ドアラッチにかかる）面積が大きくなる。
【００３４】
一方、図１１は、ラッチ当たり部３３にドアラッチ４１の先端部が押し当たらない場合の概略説明図である。この場合、ガタ防止片３１は可動せず、ドアラッチ４１の先端部はラッチ当たり部３３に受け止められる。つまり、ドアラッチ４１の垂直係合面４１ａは初期位置に止まっているラッチ当たり部３３に受け止められる。
【実施例】
【００３５】
ここで、図１２及び図１３を参照にして第２実施例を簡単に説明する。第１実施例のドア用ガタ防止部片３１は、トロヨケ３内に調整ボックス５を備えた複合型の受け金具Ｘに内設されているが、この第２実施例の受け金具Ｘ１は、調整ボックス５を有しない「単純型（ストライクのみ、又はストライクとトロヨケのみ）」に適用した場合である。
【００３６】
もちろん、受けカバーとしてのストライクに上下の軸受け部を折り曲げ形成し、対向する上下軸受けにドア用ガタ防止部片の小突起軸を軸支しても良いが、ここでは、第１実施例と対比する説明の便宜上から、ストライク４Ａとトロヨケ３Ａで構成されている受け金具Ｘ１を一例にする。
【００３７】
例えば図２と図１２とを比較すると明らかなように、ドア用ガタ防止部片３１Ａは、トロヨケ３Ａに回転自在に内設されている。トロヨケ３Ａの構成を具体的に説明すると、重複的になるので、第１実施例の調整ボックス５（ラッチ受けケース）に設けた主な構成部分、例えば底壁１１、左側壁１２、右側壁１３、上壁１４、下壁１５をそのまま借用して重複する説明を省略する。
【００３８】
したがって、トロヨケ３Ａの上壁１４及び下壁１５には、ドア用ガタ防止部片３１Ａを枢支する小軸孔２１が形成され、一方、トロヨケ３Ａの左側壁１２には、例えばドア用ガタ防止部片３１Ａの上下の水平支持腕部分３２ｂ，３２ｂの自由端部を案内する案内水平切欠部２０，２０が任意に形成されている（設計如何によっては不要）。
【００３９】
このように単純型の受け金具Ｘ１のトロヨケ３Ａ内に直接ドア用ガタ防止部片３１Ａを回転自在に設けても、本発明の本質的事項は変わらない。
【産業上の利用可能性】
【００４０】
本発明は、主に建具や錠前の業界で利用される。
【図面の簡単な説明】
【００４１】
図１乃至図１１は本発明の最良の実施例（第１実施例）を示す各説明図。図１２及び図１３は本発明の第２実施例を示す各説明図。
【図１】第１実施例の正面視からの説明図。
【図２】トロヨケから受けカバーを外して並べて見せた状態を示す正面視からの説明図。
【図３】内部構造を示す概略縦断面説明図。
【図４】本発明の主たる部材（付勢バネも含む）を受け金具から取出して並べて見せた状態を示す正面視からの説明図。
【図５】主たる部材の斜視図（付勢バネも含む）。
【図６】調整ボックスの正面視からの説明図。
【図７】図６の７−７線断面図。
【図８】図６の８−８線断面図。
【図９】図６の９−９線断面図。
【図１０】主たる部材（ドア用ガタ防止部片）が可動する場合の説明図。
【図１１】主たる部材（ドア用ガタ防止部片）が可動しない場合の説明図。
【図１２】第２実施例の図２と同様の説明図。
【図１３】第２実施例の図３と同様の説明図。
【符号の説明】
【００４２】
Ｘ，Ｘ１…受け金具、１…固定縦枠、２…窪み部、３，３Ａ…トロヨケ、３ａ…ケース部、３ｂ…取付け部、４，４Ａ…受けカバー（ストライク）、５…調整ボックス５（ラッチ受けケース）、５ａ…ケース部、６…固着具用取付け孔、７…開口部、８…隆起部、１０…手前側開口部、１１…底壁、１２…左側壁、１３…右側壁、１４…上壁、１５…下壁、１８…逃がし用切欠部分、２０…案内水平切欠部、２１…小軸孔、３１，３１Ａ…ドア用ガタ防止部片、３２…枠片、３２ａ…垂直連結板、３２ｂ…水平支持腕部分、３３…ラッチ当たり部、３４…軸、３５…段差状の受け面、３６…係合突起。
【図１】
2006225854.tif 000003
【図２】
2006225854.tif 000004
【図３】
2006225854.tif 000005
【図４】
2006225854.tif 000006
【図５】
2006225854.tif 000007
【図６】
2006225854.tif 000008
【図７】
2006225854.tif 000009
【図８】
2006225854.tif 000010
【図９】
2006225854.tif 000011
【図１０】
2006225854.tif 000012
【図１１】
2006225854.tif 000013
【図１２】
2006225854.tif 000014
【図１３】
2006225854.tif 000015